(57)【要約】【課題】暗箱状玩具で架空の光点を立体的空間に表示し、星や星団のような美しさ、神秘性を持たせ、さらに光点を遠近方向に動かす。【解決手段】  暗箱１の前方の架空の固定星６からの光を薄膜２の右目用光導入小孔７、左目用光導入小孔９から導入し、光選択分離膜５の右光選択中孔８、左光選択中孔１０を通して右覗き孔３、左覗き孔４に導入、左右の目に入射する光の方向の違いにより光点を立体的位置に認知させ、さらに架空の移動星１１からの光を右移動薄膜片１４の右移動光導入小孔１５、左移動薄膜片２０の左移動光導入小孔２１から導入し、光選択分離膜５の右光選択横長孔１７、左光選択横長孔２３を通して右覗き孔３、左覗き孔４に導入し、右移動薄膜片１４、左移動薄膜片２０を動かすことで左右の目に入射する光の方向を変えることで光点を立体的位置に認知させながら移動星１１の距離を変える。【選択図】図１
2008176252.tif 000002
【特許請求の範囲】
【請求項１】
暗箱１の前面部に右目用光導入小孔７、左目用光導入小孔９を有する薄膜２、右移動光導入小孔１７を有する右移動薄膜片１２、左移動光導入小孔２１を有する左移動薄膜片２０、暗箱１の後面部に右覗き孔３、左覗き孔４、暗箱１の前面部と後面部の間に右光選択中孔８、左光選択中孔１０、右光選択横長孔１９、左光選択横長孔２３を有する光選択分離膜５を設けた暗箱光点立体表示玩具。
【請求項２】
右覗き孔３、左覗き孔４に光を導入する直線上に有色透明体２４を設けた請求項１記載の暗箱光点立体表示玩具。
【請求項３】
光点の光源として人工発光体２５を有する請求項１、２記載の暗箱光点表示玩具。
【発明の詳細な説明】
【技術分野】
【０００１】  本発明は、両目で覗き見るための覗き孔を設けた暗箱に外部の光を導入し、暗箱の前方の空間に光点を立体的に表示して架空の星座や星団を表現するもので、表示した光点を遠近方向に動かす機能を持たせた暗箱光点立体表示玩具に関するものである。
【背景技術】
【０００２】  従来、鏡、プリズム、レンズ等を用いて立体像を表示する玩具等はあったが、本発明のように鏡、プリズム、レンズ等の光学系を用いずに光点を立体的空間に表示し、しかも光点を遠近方向に動かす機能を持つ簡単で安価な玩具はなかった。
【発明の開示】
【発明が解決しようとする課題】
【０００３】  従来の玩具では、立体的空間に位置が定まった光点を表示することで神秘的な星空を表現し、さらに光点を遠近方向に動かせるものはなく、本発明は、発明の本体の外部に及ぶ立体的空間に位置が定まった光点を表示することで架空の星空を表現し、鑑賞に堪える美しさと神秘性を持たせることと、近いところを見続ける事の多い仕事や勉強で酷使した目に遠近の光点を表示し、それらによって近景、遠景の代わりをさせ、それらを見ることによって目のピント調節機能をはたらかせ、また、光点を遠近方向に動かす機構を加えることで、より神秘性を高めながら光点を見つめるだけで目のピント調節機能をはたらかせることを課題とした。
【課題を解決するための手段】
【０００４】  この課題を解決するための請求項１の発明は、図１で示すように暗箱１の前面に薄膜２、後面に右目で覗く右覗き孔３、左目で覗く左覗き孔４、薄膜２と後面の間に薄膜２と平行に光選択分離膜５を設け、暗箱１の前方に架空の光点となる位置が固定した固定星６を設定し、固定星６と右覗き孔３を結ぶ直線と薄膜２が交わる点に右目用光導入小孔７、その右目用光導入小孔７が右覗き孔３から見えるのに必要十分な孔の右光選択中孔８を光選択分離膜５に設け、同様に固定星６と左覗き孔４を結ぶ直線と薄膜２が交わる点に左目用光導入小孔９、その左目用光導入小孔９が左覗き孔４から見えるのに必要十分な孔の左光選択中孔１０を光選択分離膜５に設ける。【０００５】  次に架空の光点を遠近方向に移動させる課題を解決するには、暗箱１の前方に位置が移動する架空の光点となる移動星１１を設定し、移動星１１と右覗き孔３を結ぶ直線を横切るように右移動薄膜片１２を設けるが、右移動薄膜片１２の一端は折り曲げることで伸縮を可能にした伸縮部１３を介して接合部１４で薄膜２と接合させ、他端に貫通枠１５の中を通して暗箱１の外部に伸ばした操作柄１６を設け、移動星１１と右覗き孔３を結ぶ直線と右移動薄膜片１２が交わる点に右移動光導入小孔１７をあけ、右移動光導入小孔１７を通して移動星１１から右覗き孔３へ光を導入する道すじ上の薄膜２、光選択分離膜５のそれぞれの位置に光を妨げない大きさ、形状の孔として薄膜２に右薄膜中孔１８、光選択分離膜５に右光選択横長孔１９を設け、同様に移動星１１と左覗き孔４を結ぶ直線を横切るように左移動薄膜片２０を設けるが、左移動薄膜片２０の一端は折り曲げることで伸縮を可能にした伸縮部１３を介して接合部１４で薄膜２と接合させ、他端に貫通枠１５の中を通して暗箱１の外部に伸ばした操作柄１６を設け、移動星１１と左覗き孔４を結ぶ直線と左移動薄膜片２０が交わる点に左移動光導入小孔２１をあけ、左移動光導入小孔２１を通して移動星１１から左覗き孔４へ光を導入する道すじ上の薄膜２、光選択分離膜５のそれぞれの位置に光を妨げない大きさ、形状の孔として薄膜２に左薄膜中孔２２、光選択分離膜５に左光選択横長孔２３を設ける。【０００６】  なお、移動星１１を表示するには、左右の目に入射する光の角度のどちらか一方だけを変えても移動星１１としての目的を達成できるので、他の一方は固定星６とみなして光を導入する道すじを確保するための各開口部を設けても良い。【０００７】  密接した複数の固定星６を設定する場合は、一つの固定星６として扱い、これらのからの光はまとめて一つの右光選択中孔８、左光選択中孔１０を通過させ、同様に密接した複数の移動星１１を設定するときにも一つの移動星１１として扱い、これらからの光もまとめて一つの右光選択横長孔１９、左光選択横長孔２３を通過させるが、左右の目に入射する光の角度のどちらか一方だけを変えても移動星１１としての目的を達成できるので、どちらか一方は固定星として扱い、右光選択中孔８、左光選択中孔１０のいずれかを通しても良い。【０００８】  請求項２の発明は、図２で示すように固定星６から右覗き孔３、左覗き孔４に光を導入する直線上の薄膜２、光選択分離膜５のいずれかの位置に有色透��体２４を張りつけて有色の光点の表現を可能にしたもので、移動星１１にも活用することができる。【０００９】  請求項３の発明は、図３で示すように外部の光の代わりに発光ダイオード等の人工発光体２５の光を利用する部分を有するもので、制御回路を経て人工発光体２５に電気を供給することにより光点の明るさの制御が可能になり、また、発光色の異なる人工発光体２５を用いることによって異なる色の光点を表示することを可能にするものである。【００１０】  以上の手段であるが、各図において架空の光点からの光を右覗き孔３の中心付近へ導入する道すじを右光導入道すじ表示線２６、架空の光点からの光を左覗き孔４の中心付近へ導入する道すじを左光導入道すじ表示線２７として表した。
【発明の効果】
【００１１】  本発明は、以上のように構成されており、暗箱１の前方に現実に光点がある場合の左右の目に入射する光の方向と、同じ位置に架空の光点を設定し、右目用光導入孔７、左目用光導入孔９から光選択分離膜５に設けた開口部を通過して左右の目に入射する光の方向に区別がなく、架空の光点の位置に現実の光点が存在すると認識させることができる。【００１２】  また、光点が遠い位置にあるか、近い位置にあるかは左右の目に入射する光の方向の違いによるもので、左右の目に入射する光の方向が平行であれば無限の距離に、左右の目が内側に向くように光が入射するほど近い距離に光点があると認識され、本発明では操作柄１６を動かすことで右移動光導入小孔１７、左移動光導入小孔２１が動き、これらの孔から左右の目に導入される光の方向が変化するので、それに応じて架空の光点の表示位置を左右、遠近方向に変化させることができる。【００１３】  本発明は、以上のように目の直前から無限遠の位置に架空の光点を表示し、架空の星座や複数の接近した光点を表示して架空の星団を表現することができ、加えて、それらの光点を動かす、着色、点滅させることができる。【００１４】  以上のことにより、本発明は、観賞用玩具として有効であることに加えて、現実の星座を構成している各々の星は地球から等距離にあるように見えるが、各々の星の地球からの距離は異なっており、その距離の違いを具現化できるので理科の教材としても利用でき、さらに、目の緊張を和らげるには遠い景色を見るのが良いとされるが、遠い距離に設定した光点で遠い景色の代用とすることができ、加えて、本発明は、面の景色と異なり、点を見るので凝視し易い利点がある。【００１５】  また、光点を遠近方向に動かせるので、光点を凝視したままで光点を遠近方向に動かすことによって目のピント調節機能をはたらかせることができ、さらに、光点を着色、点滅させることにより、目的に合う光点を指示し易くなり、教材として星座の学習になどに利用するとき、目のピント調節機能に適当な刺激を与えるときなどに特定の光点を指示し易くなるなどの利点がある。
【発明を実施するための最良の形態】
【００１６】  図１で示すように暗箱１の前面に薄膜２、後面に右目で覗くための右覗き孔３、左目で覗くための左覗き孔４、薄膜２と後面の間に光選択分離膜５を設け、暗箱１の前方に位置が固定した架空の固定星６を設定し、固定星６と右覗き孔３を結ぶ直線と薄膜２が交わる点に右目用光導入小孔７を設け、その右目用光導入小孔７から右覗き孔３に外部の光を導入するが、その光を右目だけに導入するために、光の道すじと光選択分離膜５が交差する位置に右光選択中孔８を設け、同様に左目に光を導入するために固定星６と左覗き孔４を結ぶ直線と薄膜２が交わる点に左目用光導入小孔９を設け、その左目用光導入小孔９から左覗き孔４に外部の光を導入するが、その光を左目だけに導入するために、光の道すじと光選択分離膜５が交差する位置に左光選択中孔１０を設けることにより、固定星６を表示する。【００１７】  次に架空の光点を遠近方向に移動させるためには、暗箱１の前方に位置が移動する架空の光点となる移動星１１を設定し、移動星１１と右覗き孔３を結ぶ直線を横切るように右移動薄膜片１２を設けるが、右移動薄膜片１２の一端は折り曲げることで伸縮を可能にした伸縮部１３を介して接合部１４で薄膜２と接合させ、他端に暗箱１を貫通させた貫通枠１５の中を通して暗箱１の外部に伸ばした操作柄１６を設け、移動星１１と右覗き孔３を結ぶ直線と右移動薄膜片１２が交わる点に右移動光導入小孔１７をあけ、右移動光導入小孔１７を通して移動星１１から右覗き孔３へ光を導入する道すじ上の薄膜２、光選択分離膜５のそれぞれの位置に光を妨げない大きさ、形状の孔として薄膜２に右薄膜中孔１８、光選択分離膜５に右光選択横長孔１９を設け、同様に移動星１１と左覗き孔４を結ぶ直線を横切るように左移動薄膜片２０を設けるが、左移動薄膜片２０の一端は折り曲げることで伸縮を可能にした伸縮部１３を介して接合部１４で薄膜２と接合させ、他端に暗箱１を貫通させた貫通枠１５の中を通して暗箱１の外部に伸ばした操作柄１６を設け、移動星１１と左覗き孔４を結ぶ直線と左移動薄膜片２０が交わる点に左移動光導入小孔２１をあけ、左移動光導入小孔２１を通して移動星１１から左覗き孔４へ光を導入する道すじ上の薄膜２、光選択分離膜５のそれぞれの位置に光を妨げない大きさ、形状の孔として薄膜２に左薄膜中孔２２、光選択分離膜５に左光選択横長孔２３を設ける。【００１８】  なお、右薄膜中孔１８、左薄膜中孔２２、右光選択横長孔１９、左光選択横長孔２３の各開口部は、各開口部を通過する光の道すじが右移動薄膜片１２、左移動薄膜片２０の動きによって左右に動くので、その動きに対応するように横方向に長く設定するが、これらの部分に右移動薄膜片１２、左移動薄膜片２０と同様の移動させる機構を持たせても良く、それにより各開口部を小さいままで構築することもできる。【００１９】  右移動薄膜片１２、左移動薄膜片２０は、それぞれ複数設けても良いし、一つの右移動薄膜片１２に複数の右移動光導入小孔１７、一つの左移動薄膜片２０に複数の左移動光導入小孔２１を設けても良く、このことにより表示する移動星１１の数を増やし易くなる。【００２０】  接近した複数の固定星６からの光は、まとめて一つの右光選択中孔８、左光��択中孔１０を通すことにより、星が密集している架空の星団を容易に表示可能とする形態、同様に複数の接近した移動星１１からの光は、まとめて一つの右薄膜中孔１８、左薄膜中孔２２、右光選択横長孔１９、左選択横長孔２３を通す部分を有することにより、星が密集した架空の星団を動かすことを容易にする形態がある。（図１、図５に一部示す）【００２１】  本発明では、左右の目に入射する光点からの光の入射角を変化させて移動星１１の表示を実現しているが、左右の目に入射する光の入射角の内、どちらか一方の角度だけ変えるだけで光点の位置は変化して認識され、移動星１１としての目的を達成できるので、左右の目に入射する移動星１１からの光の一方は固定星６と同様の各開口部を設けて変化させない形態がある。（図１、図６に一部示す）【００２２】  図２は、架空の光点から右覗き孔３、左覗き孔４に光を導入する道すじ上の薄膜２、光選択分離膜５のいずれかの位置に透明で色を有するセロハン等の有色透明体２４を設けて有色の光点の表示を可能にした形態である。【００２３】  図３は、暗箱１に外部の光を導入する代わりに人工発光体２５の光を導入する形態を示し、人工発光体２５として発光ダイオードを用い、不要な光を遮断する遮蔽筒３０を被せて薄膜２に装着したもので、発光色の異なる発光ダイオードを使い分けることで光点を色分け、また、一般的な制御回路を経て電気を供給することによって光点の明るさを変えることなどの演出が可能にする形態である。【００２４】  本発明の伸縮部１３は、折り曲げてあるので容易に変形して右移動薄膜片１２、左移動薄膜片２０の不要な上下動を抑制しながら左右の動きを可能にし、さらに薄膜２と密着させることで外部からの不要な光が内部に進入することを抑制しているが、伸縮部１３は薄い板状のゴムなどの弾性体で構成しても良い。【００２５】  さらに、図４は一端を薄膜２に接合させ、反対側の他端を薄膜２から浮かせて隙間を設けた板状の滑り枠２８を互いに隙間の部分が向かい合うように設け、その隙間に右移動薄膜片１２が滑走するように構築したもので、右移動薄膜片１２を薄膜２に密着させることができ、外部からの不要な光の進入や不要な上下動を抑制しながら右移動薄膜片１２の左右の動きを可能にする形態を示したもので、左移動薄膜片２０にも活用できる。【００２６】  図５は、複数の小移動薄膜片２９を伸縮部１３を介して連結させ、一つの右移動薄膜片１２としての機能を持たせたもので、一つの操作柄１６の操作で各小移動薄膜片２９が異なる量の動きをし、各小移動薄膜片２９上の右移動光導入小孔１７によって表現される各移動星１１が異なる量の動きを示すことにより、本発明の表現に幅を持たせた形態を示したもので、左移動薄膜片２０にも活用できる。【００２７】  本発明では、暗箱１の中が暗いほど光点が強調されるので、操作柄１６が暗箱を貫通する部分からの不要な光の進入を少なくしたほうが良いが、これは一般常識的な技術で達成することができるもので、関係する図では操作柄１６を貫通枠１５の中を通すことによって、外部から直接に不要な光が目に進入しない形態を示してある。【００２８】  さらに、貫通枠１５と操作柄１６の間にスポンジ状の弾性体等を設ける���とで、より外部からの光の進入を少なくすることができる形態がある。（図示せず）【００２９】  また、右移動薄膜片１２、左移動薄膜片２０と、それらに関連する部分を薄膜２の外側に設置することで操作柄１６付近からの光の進入を無くした形態、暗箱１内に納めた電磁石、モーターなどの電気的手段、ぜんまいなどの機械的手段を用いて操作柄１６を動かすことで暗箱１を貫通する部分を無くして光の進入を無くした形態がある。（図示せず）【００３０】  複数の固定星６を近い距離から遠い距離に平均的に散らしてして表示すれば、架空の近点や遠点を目的に合わせて見ることができ、本発明の課題である目のピント調節機能を働かせる目的も達成できるので、固定星６のみを表示しても本発明の課題の大方を満たすことができ、より簡単に安価に製造できる形態がある。（図示せず）【００３１】  光選択分離膜５は、間隔を開けて複数設けてもよく、一枚の光選択分離膜５では、表示する光点を増やすと光選択分離膜５での開口部が増え、その開口部を通して右目に入射するべき光が左目に、左目に入射するべき光が右目に入射する不要な光の道すじが発生し易いが、複数の光選択分離膜５を設けることにより、この不具合を減少させることができる形態がある。（図示せず）【００３２】  さらに図６は、光選択分離膜５を右覗き孔３、左覗き孔４の中間部から薄膜２の中間部の間に薄膜２と垂直方向に設置した形態を示し、この形態では、右目に入射する光が光選択分離膜５と交差する道すじを有するような位置に架空の光点を設定した場合、その光点の光を導入するための薄膜２での開口部は光選択分離膜５の左目側となり、その開口部から左目に不要な光が入射する不具合が生じるが、このような不具合が生じる架空の光点の設定位置は暗箱１の前方中心部から外れた外側の領域であるので、それらの領域を外し、暗箱１の前方中心部のみに架空の光点を設定することで光選択分離膜５に開口部を必要とせず、より簡単な構造で製造しやすい形態がある。【００３３】  本発明は、光点で星を表現しようとしており、光点となる光を導入する孔は小さい方が良いが、孔が小さいので何からの理由で左右の目に光を導入する孔の内、どちらか一方が塞がってしまう光点が生じる可能性が高まるが、正常な光点の数に比べて極少数の場合、これらの右、または左の目のみに光が入射して表示される光点は、立体的空間に散在する多くの正常な光点に混じると、位置が定まらず、目の直前から無限の遠方に糸を引いてるように見え、少なくとも平面的、立体的空間のどちらにも属さず、神秘性を有するもので、このような右、または左の目のみに光を導入して表示する光点を予め積極的に取り入れた形態がある。（図示せず）【００３４】  本発明で、暗箱１に外部の光を導入して光点を表示する場合、外部の光の状況によって右覗き孔３、左覗き孔４に導入される光の強弱、色彩に差が生じる不具合が生じる可能性があるが、光を透過、散乱させるすりガラス状の膜を暗箱１の前方部に設置することにより、導入する光の強度、色彩を均一化して不具合を解消できるが、光点として外部の光と人工発光体２５を併用する場合でも、その外側に設置でき、すりガラス状の膜が本体の外観を形成し、薄膜２の各開口部が���えないので構造を推測できにくく、利用者に不思議な感覚を与えることができる形態がある。（図示せず）【００３５】  本発明は、左右の目の位置を定めて利用するもので、右覗き孔３、左覗き孔４を覗かせることで、これを達成させているが、常識的な方法で頭部を固定することで左右の目の位置を定め、右覗き孔３、左覗き孔４を独立した開口部としない形態がある。（図示せず）
【産業上の利用可能性】
【００３６】  発明に係わる光点を立体的に表示する装置は、観賞用、教材用、目の緊張を和らげるのに有用であり、従来の技術で容易に工業的に量産することが可能であり、産業上の利用可能性を有する。
【図面の簡単な説明】
【００３７】
【図１】  本発明の一部を切り欠き、簡略した斜視図である。
【図２】  有色透明体２４を有する形態の簡略した部分図である。
【図３】  人工発光体２５を光源とする部分を有する形態の簡略した分解部分図である。
【図４】  滑り枠２８を有する形態の簡略した部分図である。
【図５】  小移動薄膜片２９を有する形態の簡略した部分図である。
【図６】  光選択分離膜５を垂直方向に設けた形態の一部を切り欠き、簡略した斜視図である。
【符号の説明】
【００３８】１      暗箱
２      薄膜
３      右覗き孔
４      左覗き孔
５      光選択分離膜
７      右目用光導入小孔
８      右光選択中孔
９      左目用光導入小孔
１０    左光選択中孔
１２    右移動薄膜片
１７    右移動光導入小孔
１９    右光選択横長孔
２０    左移動薄膜片
２１    左移動光導入小孔
２３    左光選択横長孔
２４    有色透明体
２５    人工発光体
【図１】
2008176252.tif 000003
【図２】
2008176252.tif 000004
【図３】
2008176252.tif 000005
【図４】
2008176252.tif 000006
【図５】
2008176252.tif 000007
【図６】
2008176252.tif 000008